(57)【要約】      （修正有）【課題】缶上面の皿形状空間内に入った雨水を排水部から外に排出でき、雨水は缶が傾いた状態になっていても前後左右の排水部のうちの低い位置になった排水部から排水でき、並べ置いたときには相互間に無駄な空間をつくらないようにでき、またスナップキャップの繰り返し開け閉めが容易にできるようにした新規のスナップキャップ開閉式の大型角型金属缶を提供する。【解決手段】天蓋の上には四辺が起立状態の上側補強縁部により囲繞された底面の平らな皿形状空間を有し、天蓋の一つの隅個所にはスナップキャップ付きの注排口が設けられ、注排口は天蓋の上面より高い個所にあって上側補強縁部の高さより低くされ、また上側補強縁部の四辺には、皿形状空間に溜まる雨水を外に排出する切欠き形状の排水部が各辺の上縁の中央個所に位置する配置で設けられたことを特徴とする。【選択図】図２
0003112219.tif 000002
【実用新案登録請求の範囲】
【請求項１】
天蓋の上には起立状態の上側補強縁部により四辺が囲繞された平底皿形状空間を有し、該天蓋の一つの隅個所にはスナップキャップ付き注排口が設けられ、該注排口は天蓋の上面より高い個所にあって上記上側補強縁部の高さより低くされ、また上側補強縁部の四辺には、上記平底皿形状空間に溜まる雨水を外に排出する切欠き形状の排水部が各辺の上縁の中央個所に位置する配置で設けられたことを特徴とするスナップキャップ開閉式の大型角型金属缶。
【考案の詳細な説明】
【技術分野】
【０００１】
本考案は、塗料等液状物の貯留および運搬に用いるスナップキャップ開閉式のブリキ製大型角型塗料缶に関する。具体的には、頂面を閉める方向に押圧したときに注排口の口縁部の外面に沿って一旦外方に拡開する多数枚の弾性爪を備えた構造のスナップキャップにより開閉する、いわゆる18リットル缶と称されるスナップキャップ開閉式の大型角形金属缶に関する。
【背景技術】
【０００２】
一般に、この種のスナップキャップ開閉式のブリキ製大型角型塗料缶は、めっき鋼板等缶胴素材を角筒状に曲げてその端同士を巻諦め加工等で継合わせることにより缶胴を構成し、この缶胴の上側縁及び下側縁に天蓋及び地蓋の全周縁を巻諦め加工等により止着し、よって密閉型の塗料缶本体を構成していた。そして、天蓋の一つの隅個所にはスナップキャップ付きの注排口を設け且つ天蓋の中央部には座板を介して取手を起伏自在に設けられ、また天蓋の上面には、上記缶胴の上側縁と天蓋の全周縁との巻諦め加工により形成された起立状態の周縁部（なお、本文中では、この周縁部を上側補強縁部と記すことにする。）により囲まれた平底の薄い皿形状空間が形成され、また、上記注排口の開口縁は、上側補強縁部の高さよりも低い位置にされているものであった。
【０００３】
しかしながら、このような従来のブリキ製大型角型塗料缶は、上記のような構成であったために、例えば野外に置いたときには、底面が平らな皿形状空間内に雨水等が溜まるという構造上の欠陥があった。
【０００４】
この構造的欠陥は、例えば、次のような問題を招いて好ましくなかった。
・  皿形状空間内に溜まった雨水が注排口からスナップキャップとの間を介して塗料缶本体内に浸入し、内部の塗料の上面若しくは下に分離した状態若しくは一部混和した状態で溜まる事態を惹起する。
・  皿形状空間内に溜まった雨水が粉塵等の蓄積・貯留を早めて製品としての外観の劣化を招き易い。
・  皿形状空間内に溜まった雨水が蚊等害虫の生息環境をつくり易い。
・  缶本体内に分離状態若しくは一部混和した状態で溜まった雨水は、外見上判別が難しいので、製品として販売してしまうトラブルが起き易い。
・  缶本体内に分離状態で溜まった雨水及び該雨水に接した一部の塗料を除去さえできれば、残りの塗料はそのまま使用することができないことではないので再利用できるが、やはり損失は大きくなる。
・  缶本体内で雨水と混和して変質した塗料は、もはや再利用はできなく廃棄の対象にせざる得なく、損失は極めて大きくなる。
【０００５】
因みに、従前、[特許文献１]及び[特許文献２]によって、外周に向うに従って低くなる中高の球面形状底面にされた皿形状空間が丸筒型缶胴の上面に設けられると共に該皿形状空間の周壁部分に水抜き用孔が設けられた形式の生ビール樽や飲料充填用ステンレス容器が開示されている。しかしながら、このように球面形状底面の皿形状空間にすることは、丸筒状の缶胴には形状的に向いているが、本願のように缶胴の形状が角筒状である場合には、四隅に角部分を設けることが比較的困難で製造的にもコスト的にも好ましくない。また、丸筒型の缶胴からなる容器は、縦/横方向に並べて積み重ねた場合には、相互間に無駄な空間ができて好ましくない。
【０００６】
また、[特許文献３]及び[特許文献４]によって、平面状底面にされた皿形状空間が丸筒状型缶胴の上面に設けられ且つ該皿形状空間に内容物を溜めないようにする切取部が同皿形状空間の周壁部分に設けられた形式の飲料用容器が開示されているが、切取部が四方に設けられた記載は無く示唆する記載も無い。
【０００７】
なお、本願出願人は、先行技術を調査したが、「スナップキャップ付き注排口を備え且つ平底皿形状空間を形成する上側補強縁部の前後左右四方に、排水部が設けられた大型角型金属缶」に関連する先行技術文献を見出すことができなかった。
【特許文献１】特開平７−８９５５３号公報
【特許文献２】特許第３２８４３５１号公報
【特許文献３】特開平２００１−２８７７４０号公報
【特許文献４】登録実用新案公報３１００５９１号公報
【考案の開示】
【考案が解決しようとする課題】
【０００８】
本考案は、上記したような諸問題点を解消する工夫及び他の工夫を施した新規のスナップキャップ開閉式大型角型金属缶を提供することを目的とする。
【課題を解決するための手段】
【０００９】
上記目的を達成するために、本考案に係るスナップキャップ開閉式の大型角型金属缶は、天蓋の上には起立状態の上側補強縁部により四辺が囲繞された平底皿形状空間を有し、該天蓋の一つの隅個所にはスナップキャップ付き注排口が設けられ、該注排口は天蓋の上面より高い個所にあって上記上側補強縁部の高さより低くされ、また上側補強縁部の四辺には、上記平底皿形状空間に溜まる雨水を外に排出する切欠き形状の排水部が各辺の上縁の中央個所に位置する配置で設けられたものである。
【００１０】
したがって、皿形状空間内に入った雨水は、上記排水部を介して外へ排出することが可能になる。また、この場合、缶が傾いた状態なっていても前後左右の排水部のうちの低い位置になっている排水部から雨水は排出される。また、全体の形を角型にしたので、相互間に無駄な空間を形成されない状態に並べ置いたり、積み重ね置いたりするが可能になる。また、スナップキャップ付きの注排口を上側補強縁部より低くしたので、積み重ね置いた時には上側の段に位置する缶の底がその下の缶のスナップキャップを押し開けるようなことがなくなる。また、注排口は天蓋の上面より高い個所に設けてあるので、スナップキャップが、開けたり閉めたりして使用しているうちに、塗料の付着固化により開け辛くなるようなことがなくなる。
【考案の効果】
【００１１】
本考案に係るスナップキャップ開閉式の大型角型金属缶は、上記のように、天蓋の上には起立状態の上側補強縁部により四辺が囲繞された平底皿形状空間を有し、該天蓋の一つの隅個所にはスナップキャップ付き注排口が設けられ、該注排口は天蓋の上面より高い個所にあって上記上側補強縁部の高さより低くされ、また上側補強縁部の四辺には、上記平底皿形状空間に溜まる雨水を外に排出する切欠き形状の排水部が各辺の上縁の中央個所に位置する配置で設けられたことを特徴とするので、皿形状空間内に入ってきた雨水は、上記排水部から自然に外に排出させ、同内に溜まらないようにすることができる。また、この場合、雨水は、並べ置いた（積み重ね置いた）缶が傾いた状態になっていても前後左右の排水部のうちの低い位置になった排水部から排水できる。また、角型であるので、並べ置いた状態、積み重ね置いた状態にしたときには相互間に無駄な空間ができない。また、スナップキャップ付きの注排口は、上側補強縁部より低くしてあるので、積み重ね置いた時に上側の段の缶がその下の缶のスナップキャップを押圧して開けてしまうことがない。また、注排口は天蓋の上面すなわち皿形状空間の底面より高い個所になっているので、前回の注出操作で注出口の裾周りに付着した塗料の固化によりスナップキャップが開け辛くなるようなことがなく、押すことによって容易に開くことができ、螺子式キャップのように回し外しができない若しくは困難になると言うようなことがなく、繰り返しの開け閉めが容易にできる。
【００１２】
すなわち、本考案に係るスナップキャップ開閉式の大型角型金属缶よれば、皿形状空間内に入ってきた雨水は、上記排水部から自然に外に排出させ、同内に溜まらないようにすることができたので、上記構造的欠陥から生じていた、雨水が注排口からスナップキャップとの間を介して塗料缶本体内に浸入して内部の塗料の上面若しくは下に分離した状態若しくは一部混和した状態で溜まる等の諸問題点は悉く解消でき、これによるその実用的効果は極めて大きいものである。
【考案を実施するための最良の形態】
【００１３】
図１及び図２に示す本考案に係るスナップキャップ開閉式の大型角型金属缶は、１８リットル塗料缶１であり、この塗料缶本体２は、錫めっき鋼板（ブリキ）を角筒状に曲げてその端同士を巻諦め加工で継合わせることにより得た缶胴３と、この缶胴３の上面を閉塞する錫めっき鋼板製の天蓋４と、同じく下面を閉塞する錫めっき鋼板製の地蓋５から構成されているものである。なお、缶胴３の上側縁６と天蓋４の全周縁７及び缶胴３の下側縁８と地蓋５の全周縁９は、巻諦め加工により止着してある。
【００１４】
また、天蓋４の一つの隅個所には、該天蓋４の上面より高い個所になる状態で、スナップキャップ１０により開閉する注排口１１を設け且つ同天蓋４の中央部には座板１２を介して取手１３を起伏自在に設けてある。
【００１５】
また、天蓋４の上面には、上記缶胴３の上側縁６と天蓋４の全周縁７との巻諦め加工により形成された起立状態の上側補強縁部１４により囲まれた底面１５の平らな薄い皿形状空間１６が形成されている。なお、上記の上側補強縁部１３は、上記注排口１１より高くされている。
【００１６】
さらに、上記の上側補強縁部１３の四辺には、上記皿形状空間１６に入ってきた雨水を外に排出する切欠き形状の排水部１７が各辺の上縁の中央個所に位置する配置で設けられ、また上記の皿形状空間１６の底面１５には、上記各排水部１７に雨水を案内する導溝１８が設けられている。なお、本考案は、導溝１８を設けずに実施することができる。
【図面の簡単な説明】
【００１７】
【図１】全体を示す斜視図である。
【図２】図１Ａ−Ａ線に沿う拡大断面図である。
【符号の説明】
【００１８】
１  塗料缶
２  缶本体
３  缶胴
４  天蓋
５  地蓋
６  缶胴の上側縁
７  天蓋の全周縁
８  缶胴の下側縁
９  地蓋の全周縁
１０  スナップキャップ
１１  注排口
１２  座板
１３  取手
１４  上側補強縁部
１５  底面
１６  皿形状空間
１７  排水部
１８  導溝
１９  シール
【図１】
0003112219.tif 000003
【図２】
0003112219.tif 000004